(57)【要約】      （修正有）【課題】外観がよく、デザイン性を向上させることができるテーブルの脚部構造およびそのテーブルの脚部カバーを提供する。【解決手段】テーブルを支える脚部２をほぼ箱型のベース部材５と、ベース部材５の外周面を覆うカバー部材６とで構成する。ベース部材５の上部にテーブルとベース部材５の上部との間を固定する固定穴８を設け、ベース部材５の側面に固定穴８にアクセスするための作業用の開口部を設ける。カバー部材６は、ベース部材５の外周面全体を覆う状態でベース部材５に固定する。【選択図】図６
2014171685.tif 000002
【特許請求の範囲】
【請求項１】
テーブルを支える脚部をほぼ箱型のベース部材と、このベース部材の外周面を覆うカバー部材とで構成し、
前記ベース部材の上部に前記テーブルと前記ベース部材の上部との間を固定する固定部を設け、
前記ベース部材の側面に前記固定部にアクセスするための作業用の開口部を設けるとともに、
前記カバー部材は、前記ベース部材の外周面全体を覆う状態で前記ベース部材に固定可能であることを特徴とするテーブルの脚部構造。
【請求項２】
前記ベース部材は、前記テーブルの少なくとも両側部に配置され、前記テーブルの少なくとも両側面の一部を構成する側面構成体を有し、
前記カバー部材は、前記ベース部材全体を覆うとともに、前記ベース部材に着脱可能に固定されるカバー部材固定部を有することを特徴とする請求項１に記載のテーブルの脚部構造。
【請求項３】
前記ベース部材は、前記テーブルの少なくとも両側面に沿って配置されるほぼ長方形状の断面形状部またはほぼ楕円形状の断面形状部のいずれか一方を有し、
前記カバー部材は、前記ベース部材の長手方向に沿う両端部のうちのいずれか一方にほぼ鉛直方向に伸びるスリット状の開閉部を有し、
前記スリット状の開閉部の周縁部位に前記カバー部材固定部が形成されていることを特徴とする請求項２に記載のテーブルの脚部構造。
【請求項４】
前記カバー部材は、金属材料によって形成されたカバー部材本体を有し、
前記カバー部材本体は、前記カバー部材の長手方向に沿う直線に沿って２分割した状態の２つの板状部材を有し、
前記２つの板状部材の一端部間を溶接することにより、前記２つの板状部材を接合させて前記カバー部材本体が形成され、前記２つの板状部材の他端部間に前記スリット状の開閉部が形成されていることを特徴とする請求項３に記載のテーブルの脚部構造。
【請求項５】
テーブルを支える脚部の内側部材を構成するベース部材の外周面を覆うカバー部材を有するテーブルの脚部カバーであって、
前記ベース部材は、上部に前記テーブルとの間を固定する固定部が設けられ、前記ベース部材の側面に前記固定部にアクセスするための開口部を備えるとともに、
前記カバー部材は、前記ベース部材の外周面全体を覆う状態で前記ベース部材に固定可能であることを特徴とするテーブルの脚部カバー。
【請求項６】
前記ベース部材は、前記テーブルの少なくとも両側部に配置され、前記テーブルの少なくとも両側面の一部を構成する側面構成体を有し、
前記カバー部材は、前記ベース部材の外側面全体を覆うとともに、前記ベース部材に着脱可能に固定されるカバー部材固定部を有することを特徴とする請求項５に記載のテーブルの脚部カバー。
【請求項７】
前記ベース部材は、前記テーブルの少なくとも両側面に沿って配置されるほぼ長方形状の断面形状部またはほぼ楕円形状の断面形状部のいずれか一方を有し、
前記カバー部材は、前記ベース部材の長手方向に沿う両端部のうちのいずれか一方にほぼ鉛直方向に伸びるスリット状の開閉部を有し、
前記スリット状の開閉部の周縁部位に前記カバー部材固定部が形成されていることを特徴とする請求項６に記載のテーブルの脚部カバー。
【請求項８】
前記カバー部材は、金属材料によって形成されたカバー部材本体を有し、
前記カバー部材本体は、前記カバー部材の長手方向に沿う直線に沿って２分割した状態の２つの板状部材を有し、
前記２つの板状部材の一端部間を溶接することにより、前記２つの板状部材を接合させて前記カバー部材本体が形成され、前記２つの板状部材の他端部間に前記スリット状の開閉部が形成されていることを特徴とする請求項７に記載のテーブルの脚部カバー。
【請求項９】
前記カバー部材は、前記カバー部材本体がステンレス材料によって形成されていることを特徴とする請求項８に記載のテーブルの脚部カバー。
【発明の詳細な説明】
【技術分野】
【０００１】
本発明の実施形態は、テーブルの脚部構造およびそのテーブルの脚部カバーに関する。
【背景技術】
【０００２】
オフィスなどで一般に使用されているテーブルなどではテーブルの脚部は、角柱状や丸棒タイプの棒状部材を用いて構成することが多い。このような棒状部材を用いた脚部は、デザイン的には非常にシンプルなものであるが、使用する環境などに合わせて顧客向けのデザイン性を向上させるため、例えばステンレス製の楕円型円柱脚などの大型の脚部構造を採用することで重厚で堅牢な印象のデザインが要望される場合がある。
【先行技術文献】
【特許文献】
【０００３】
【特許文献１】特開２０１２−１００７４６号公報
【発明の概要】
【発明が解決しようとする課題】
【０００４】
楕円型円柱脚では、脚部は箱型に形成している。そして、箱型脚部の側面に広い作業用の開口部を設け、この開口部から固定ボルトなどを箱型脚部の内部に挿入して箱型脚部の上面パネルをテーブルの下面にねじ止め固定する作業などを行なうことが考えられている。箱型脚部の側面の作業用の開口部は、通常は箱型脚部とは別体の平板状の側板をねじ止めなどで着脱可能に取り付けることで、閉塞し、必要に応じて平板状の側板を取り外して箱型脚部の内部で作業を行なうことができるようにしている。
【０００５】
しかしながら、このような構造では箱型脚部の開口部の周縁部位に平板状のカバー部材をねじ止めした部分が外部に露出された状態で見えてしまうので、外観が好ましくなくなっている。
【０００６】
本実施の形態は上記事情に着目してなされたもので、外観がよく、デザイン性を向上させることができるテーブルの脚部構造およびそのテーブルの脚部カバーを提供することにある。
【課題を解決するための手段】
【０００７】
実施形態のテーブルの脚部構造は、テーブルを支える脚部をほぼ箱型のベース部材と、このベース部材の外周面を覆うカバー部材とで構成する。前記ベース部材の上部に前記テーブルと前記ベース部材の上部との間を固定する固定部を設け、前記ベース部材の側面に前記固定部にアクセスするための作業用の開口部を設ける。前記カバー部材は、前記ベース部材の外周面全体を覆う状態で前記ベース部材に固定可能である。
【図面の簡単な説明】
【０００８】
【図１】第１の実施の形態のテーブルの脚部構造のテーブルに対する脚部の配置状態を示す平面図。
【図２】第１の実施の形態のテーブルの脚部構造のテーブルと脚部の配置状態を示す側面図。
【図３】第１の実施の形態のテーブルの脚部構造のベース部材を示すもので、（Ａ）はベース部材の作業用開口部を示す斜視図、（Ｂ）はベース部材の作業用開口部とは反対側の側面を示す斜視図。
【図４】第１の実施の形態のテーブルの脚部構造の脚部カバーを示すもので、（Ａ）は脚部カバーのカバー部材固定部を示す斜視図、（Ｂ）は脚部カバーのカバー部材固定部とは反対側の側面を示す斜視図。
【図５】第１の実施の形態のテーブルの脚部構造のテーブルとベース部材の上面パネルとの固定部分を示す縦断面図。
【図６】第１の実施の形態のテーブルの脚部構造の脚部カバーをベース部材に取り付けた状態を示す斜視図。
【図７】第１の実施の形態のテーブルの脚部構造の脚部カバーとベース部材との間を固定するカバー部材固定部を示す横断面図。
【発明を実施するための形態】
【０００９】
［第１の実施の形態］  
（構成）  
図１乃至図７は、第１の実施の形態を示す。図１は、第１の実施の形態のテーブル１に対する脚部２の配置状態を示す平面図、図２は同側面図である。本実施の形態のテーブル１は、図１に示すようにほぼ長方形状の天板１ａの一方の長辺に凹陥部３を設け、この凹陥部３の部分に２つの椅子４が並んで配置できるように構成されている。なお、図１中で、４ａは椅子４の座面であるクッション、４ｂは椅子４の背もたれ部である。
【００１０】
テーブル１は、４つの脚部２によって支えられている。各脚部２は、図３（Ａ），（Ｂ）に示すように金属材料、例えばステンレス材によって形成されたほぼ箱型のベース部材５と、このベース部材５の外周面を覆う図４（Ａ），（Ｂ）に示すカバー部材６とで構成されている。カバー部材６は、金属材料、例えばステンレス材によって形成されている。
【００１１】
４つの脚部２は、平行に配置されている。その４つの脚部２のうちの２つの脚部２は、テーブル１の少なくとも両側部の後端位置に配置され、テーブル１の少なくとも両側面の一部を構成する側面構成体を有する。残りの２つの脚部２は、テーブル１の両側部間の任意の位置、本実施の形態では、テーブル１の前端位置に残りの２つの脚部２の前端部が配置されている。
【００１２】
さらに、テーブル１の両側面を構成する側面構成体の２つの脚部２と、残りの２つの脚部２の前端面間にはテーブル１の前面側を閉塞するラウンドカバー７が配置されている。図２に示すようにこのラウンドカバー７は、テーブル１の両側面からテーブル１の前面までの周面全体を隠す状態で装着されている。これにより、椅子４に座る人の足が前方から見えないように隠すようになっている。このラウンドカバー７は、１枚のパネルであってもよく、また複数に分割されたパネルを連結して形成してもよい。
【００１３】
各脚部２のベース部材５は、ほぼ長方形状の断面形状部（図７に示す）を有する。さらに、ベース部材５の上面５ａには、テーブル１とベース部材５の上面５ａとの間を固定する複数、本実施の形態では４つの固定穴（固定部）８が設けられている。図３（Ａ）に示すようにベース部材５の一方の側面５ｂには、４つの固定穴８にアクセスするための作業用の開口部９が設けられている。なお、ベース部材５の他方の側面５ｃは、図３（Ｂ）に示すように作業用の開口部９がなく、全面が１つの平面になっている。ベース部材５の前端面には、図３（Ａ）に示すようにカバー部材６を固定する複数、本実施の形態では６つの穴部１０が形成されている。
【００１４】
カバー部材６は、図６に示すようにベース部材５の外周面全体を覆う状態でベース部材５に固定可能である。ここで、カバー部材６は、ベース部材５の長手方向に沿う両端部のうちのいずれか一方にほぼ鉛直方向に伸びるスリット状の開閉部１１（図４（Ａ）に示す）を有し、このスリット状の開閉部１１の周縁部位にベース部材５とカバー部材６との間を着脱可能に固定する複数、本実施の形態では６つの固定穴（カバー部材固定部）１２が形成されている
カバー部材６は、このカバー部材６の長手方向に沿う直線に沿って２分割した状態の２つの板状部材１３ａ，１３ｂを有する。そして、図４（Ｂ）に示すように２つの板状部材１３ａ，１３ｂの一端部間を溶接することにより、２つの板状部材１３ａ，１３ｂを接合させてカバー部材本体１３が形成されている。ここで、カバー部材本体１３の２つの板状部材１３ａ，１３ｂの接合部には、直線状の溶接部１４が形成されている。このカバー部材本体１３の直線状の溶接部１４は例えばステンレス材を研磨するなどの仕上げ加工によって化粧処理され、目立たないように後加工されることが好ましい。２つの板状部材１３ａ，１３ｂの他端部間には、前述したスリット状の開閉部１１が形成されている。
【００１５】
図５に示すようにテーブル１の天板１ａの下面には、４つの脚部２と対応する位置にそれぞれ複数、本実施の形態では例えばオニメナットなどの４つの埋め込みナット１５が埋設されている。これらの埋め込みナット１５は、各脚部２のベース部材５の４つの固定穴８とそれぞれ対応する位置に配置されている。そして、図５に示すようにベース部材５の作業用の開口部９からベース部材５の内部に挿入された固定ボルト１６がベース部材５の各固定穴８を通してテーブル１の天板１ａの埋め込みナット１５にねじ込み固定されることで、ベース部材５とテーブル１の天板１ａとの間が固定されている。
【００１６】
また、ベース部材５とテーブル１の天板１ａとの間が固定されたのち、図６に示すようにベース部材５の外周面全体を覆う状態でカバー部材６がベース部材５に装着される。このとき、図７に示すようにベース部材５の穴部１０と、カバー部材６の固定穴１２とが位置合わせされた状態で、固定ボルト１７がカバー部材６の外側からカバー部材６の固定穴１２とベース部材５の穴部１０とに挿入され、ベース部材５の内部側の固定ナット１８にねじ込み固定されることで、カバー部材６がベース部材５に固定されている。
【００１７】
（作用）
次に、上記構成の作用について説明する。本実施の形態のテーブル１の脚部２の構造では、テーブル１を支える４つの脚部２をほぼ箱型のベース部材５と、このベース部材５の外周面を覆うカバー部材６とで構成している。そして、テーブル１の脚部２の組み付け作業時には、まず、テーブル１の天板１ａにベース部材５を固定し、その後、ベース部材５にカバー部材６を組み付けている。
【００１８】
テーブル１の天板１ａにベース部材５を固定する作業時には、図５に示すようにベース部材５の作業用の開口部９からベース部材５の内部に固定ボルト１６を挿入する。そして、この固定ボルト１６がベース部材５の各固定穴８を通してテーブル１の天板１ａの埋め込みナット１５にねじ込み固定されることで、ベース部材５とテーブル１の天板１ａとの間が固定される。このとき、ベース部材５の前端面の６つの穴部１０は、テーブル１の前方に向けた状態で、ベース部材５がテーブル１の天板１ａに固定されている。
【００１９】
また、ベース部材５にカバー部材６を組み付ける作業時には、カバー部材６の開閉部１１を広げてカバー部材６を弾性変形させる状態で、ベース部材５の後端側からカバー部材６をベース部材５に被せる状態で、ベース部材５にカバー部材６を組み付ける。そして、図６に示すようにベース部材５の外周面全体をカバー部材６でカバーした状態で、図７に示すようにベース部材５の穴部１０と、カバー部材６の固定穴１２とが位置合わせされる。この状態で、固定ボルト１７がカバー部材６の外側からカバー部材６の固定穴１２とベース部材５の穴部１０とに挿入され、ベース部材５の内部側の固定ナット１８にねじ込み固定される。これにより、カバー部材６がベース部材５に固定される。
【００２０】
そして、最後に、ラウンドカバー７がテーブル１の両側面を構成する側面構成体の２つの脚部２と、残りの２つの脚部２の前端面間に掛け渡される状態で、装着される。
【００２１】
（効果）  
そこで、上記構成のものにあっては次の効果を奏する。すなわち、本実施の形態のテーブルの脚部２の構造では、テーブル１を支える４つの脚部２をほぼ箱型のベース部材５と、このベース部材５の外周面を覆うカバー部材６とで構成した。そして、ベース部材５の上部にテーブル１とベース部材５の上部との間を固定する固定穴８を設け、ベース部材５の側面に固定穴８にアクセスするための作業用の開口部９を設けている。カバー部材６は、ベース部材５の外周面全体を覆う状態でベース部材５に固定される。カバー部材６とベース部材５とを固定する固定ボルト１７は、脚部２の前面側に配置され、脚部２の後面側からは目に触れないようになっている。そのため、ベース部材５の作業用開口部９はカバー部材６でカバーされ、かつ作業用の開口部９の周囲に作業用の開口部９を隠すパネルの固定部などが露出されることもないので、すっきりとした構造に仕上げることができ、脚部２の外観がよく、脚部２のデザイン性を向上させることができる。
【００２２】
さらに、カバー部材６の後端部の２つの板状部材１３ａ，１３ｂの接合部である直線状の溶接部１４は、仕上げ加工によって化粧処理され、目立たない（判別できない）ように後加工されることにより、脚部２の外観を一層よくすることができ、デザイン性を向上させることができる。
【００２３】
なお、上記第１の実施の形態では、各脚部２のベース部材５は、ほぼ長方形状の断面形状部を有する構成を示したが、ほぼ楕円形状の断面形状部のベース部材５を設けてもよい。この場合も、第１の実施の形態と同様にすっきりとした構造に仕上げることができ、脚部２の外観がよく、脚部２のデザイン性を向上させることができる。さらに、第１の実施の形態では、各脚部２のベース部材５およびカバー部材６は、金属材料、例えばステンレス材によって形成された攻勢を示したが、これに限定されるものではない。例えば、各脚部２のベース部材５およびカバー部材６は、硬質なプラスチック材料や、炭素繊維材料などでもよい。
【００２４】
これらの実施形態によれば、外観がよく、デザイン性を向上させることができるテーブルの脚部構造およびそのテーブルの脚部カバーを提供することができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１…テーブル、２…脚部、５…ベース部材、６…カバー部材、８…固定穴（固定部）、９…作業用の開口部。
【図１】
2014171685.tif 000003
【図２】
2014171685.tif 000004
【図３】
2014171685.tif 000005
【図４】
2014171685.tif 000006
【図５】
2014171685.tif 000007
【図６】
2014171685.tif 000008
【図７】
2014171685.tif 000009